(57)【特許請求の範囲】
【請求項１】
少なくとも前身頃（２）及び後身頃（１）が縫製されている上衣において、後身頃の脇にアームホール（３）下方に形成された第一のタック（５）と、第一のタックより下側に第二のタック（６）とを備えてなることを特徴とする背の丸い人の上衣。
【請求項２】
第一のタック（５）は袖付け位置より３．０ｃｍの距離（Ｌ１）だけ離れて形成され、第二のタック（６）は、第一のタック（５）より３．０〜５．０ｃｍの距離（Ｌ２）だけ離れて形成されたことを特徴とする請求項１記載の背の丸い人の上衣。
【請求項３】
第一及び第二のタック（５，６）の幅（Ｔ１，Ｔ２）は背中の曲がり具合に合わせて２．５〜３．０ｃｍとすることを特徴とする請求項１又は２記載の背の丸い人の上衣。
【発明の詳細な説明】
【技術分野】
【０００１】  本発明は背の丸い人（特に高齢者）の腕の上げ下げなどの運動を円滑にして、背面の裾ラインがせり上がることを防止する上衣に関するものである。
【背景技術】
【０００２】  従来背の丸い人の衣服はオーダーメイド（非特許文献２）以外では特に存在しておらず、背の丸い人のための衣服は健常者（背の丸くない人）と同型の製図を用いた衣服を着用するために、以下の問題が生じていた。【０００３】  問題点の１つは背面の窮屈さによる着心地の悪さであり、背中のカーブに脇のラインや袖付け位置が合致していないため腕の上げ下げ等の運動に負担がかかるという欠点があった。【０００４】  問題点の２つは、図２に示すように、背中にカーブがある分、前身頃と後身頃の丈に差が生じ背面の裾はせり上がり背中で弓なりのカーブを描くような形状になるため、衣服の裾が水平にならず見た目のバランスが損なわれるという欠点があった。【０００５】  背の丸い人の多くが解決策として選択している衣服には非特許文献１のＰ８９〜９１に記されているように、背中の上部にヨークを施したデザインがあるが、運動量はあるが背の丸さをたっぷりのギャザーでより強調させてしまうことになり、またゆとりを必要以上につけたことで重みがかかり後ろに引っ張られるような感じになっていた。【０００６】  非特許文献２のＰ．５９，６０に記されているように受注生産商品に、ニット素材に限り立体縫製の技術により編み目の加工を変え背の丸い人の体型に合う形状をした衣服があるが、加齢による体系の変化や通常背の丸い人でも、背中を起す動作をしたときに、背中のカーブの動きに流動的に対応できず、また受注生産であるため供給量やコスト面において容易に普及することが困難であった。
【非特許文献１】森  南海子著「体の不自由な人のおしゃれ」昭和５２年１１月８日初版    朱鷺書房
【非特許文献２】ユニバーサルファッション協会著「ユニバーサルファッション宣言」２００２年１１月２５日初版  中央公論
【発明の開示】
【発明が解決しようとする課題】
【０００７】  解決しようとしている問題点は、背の丸い人（特に高齢者）が健常者（背の丸くない人）と同じ衣服を着用時に生じる運動の不自由な点と、裾がせり上がりによる見た目のバランスの悪い点である。
【課題を解決するための手段】
【０００８】  本発明は後身頃（図１の１）につけた２本のタック（図１の５，６）により立体的な背の丸みに対応させることを最も主要な特徴とする。
【発明の効果】
【０００９】  背中の丸い人の立体的な背面に流動的に対応し窮屈感を無くし腕の上げ下げなどの運動を円滑にするとともに、せり上がりを気にする煩わしさをなくし、裾が水平になることで、見た目のバランスをそこなうこともない。
【発明を実施するための最良の形態】
【００１０】  本実施の形態の背の丸い人の上衣は少なくとも前身頃及び後身頃が縫製されている上衣において、後身頃の脇にアームホール３に近傍に形成された第一のタック５と、第一のタックより下側に、背中の曲がり方に合わせて形成された第二のタック６とを備えてなるものである。
タックの数を２本としているのは後身頃と前身頃の丈の差が５ｃｍ位の方が最も多くタックの大きさは２．５ｃｍ〜３．０ｃｍ位が全体のバランスが崩れない範囲であるので５ｃｍ÷２．５ｃｍで２本としている。【００１１】  第一のタック５の位置はアームホール３の近傍で脇のなるべく高い位置であるのが良く、アームホール３の下側（袖付け位置）より約３．０ｃｍの距離（Ｌ１）だけ離れた位置が最も好ましい。なお、体型により、３．０±１．０ｃｍの範囲とするのが好ましい。第一又は第二のタック５，６の幅（Ｔ１，Ｔ２）は２．５〜３．０ｃｍであるのか好ましい。第二のタック６の位置は第一のタック５より３．０〜５．０ｃｍの距離（Ｌ２）だけ離れた位置とするのが好ましい。【００１２】  なお、タックの数は２本としているが、背中の曲がり具合に応じて、腰の曲がった体型の場合、腰付近にタックをさらに形成して３本とすることもできる。この場合該当者は前身頃と後身頃の着丈の差が５ｃｍを著しく超過している者となる。【００１３】前身頃の形状は通常の原型に対してバストポイントを下げることで高齢者の体型により対応したものとすることができる。【００１４】  次に上衣の作成方法を説明する。
（イ）身頃１長さ（Ｌ４）を出来上がり丈（Ｌ）よりも、第一及び第二のタック５，６の      幅（Ｔ１＋Ｔ２）分大きく多く取る（この場合、５．０ｃｍ）。すなわち、本実施      の形態の上衣の後身頃丈の長さ（Ｌ４）は出来上がりの丈の長さ（Ｌ）に第一タッ      ク５の幅（Ｔ１）と第二タック６の幅（Ｔ２）を加えたものとなる（Ｌ４＝Ｌ＋Ｔ      １＋Ｔ２）。
（ロ）第一のタック５は、袖付け位置より３．０ｃｍの距離（Ｌ１）だけ下がった位置に      を取る。
（ハ）第一のタック５より３．０〜５．０ｃｍの距離（Ｌ２）下がった位置に第二のタッ      ク６を取る。
（ニ）第一及び第二のタックの幅（Ｔ１，Ｔ２）は背中の曲がり具合にあわせて２．５〜      ３．０ｃｍの範囲とする。【００１５】  本発明の商品化に当たりやわらかい素材（例えば、化学繊維等）で製作することでタックが目立たなくなるため、好ましい。【００１６】  タックの大きさやタックの幅は個人の背の曲がり具合に合わせて調節することで一層の着心地を追求することが可能であるが、前述の（イ）〜（ニ）に示した範囲での調節が見た目のバランスを損なうことの無い程度の好ましい数値である。
【産業上の利用可能性】
【００１７】  タック（５，６）は凝り固まった形状を持たないので個人により異なる背中の曲がり具合や背中の丸い人が背中を起すことや、加齢に伴い背中の曲がり具合が変化したとしても流動的に対応が可能である。【００１８】本発明の製図原型をもとにブラウス（図３）だけでなく肌着、ジャケット等を生産することも可能であり、特に肌着は高齢者の腰の冷えを防止する効果が期待できる。
【図面の簡単な説明】
【００１９】
【図１】後身頃原型  点線ライン  従来の婦人用製図原型（９号規格）  実線ライン  本発明の背の丸い人用の製図原型
【図２】前身頃原型  点線ライン  従来の婦人用製図原型（９号規格）  実線ライン  本発明の背の丸い人用の製図原型
【図３】従来の女性用ブラウスとそれを着用した背の丸い人
【図４】本発明のブラウスとそれを着用した背の丸い人
【符号の説明】
【００２０】１  後身頃
２  前身頃
３  アームホール
４  本発明の丈の長さ（Ｌ４＝Ｔ１＋Ｔ２＋Ｌ）
５  第一のタック
６  第二のタック
７  袖付け位置
Ｌ  出来上がりの丈の長さ
【要約】
【課題】背の丸みによりできてしまう後身頃のせり上がりをなくし、運動の不自由さを軽減し、見た目のバランスを良好にすること。
【解決手段】後身頃（１）の袖付け位置（７）より下方にタック（５，６）を入れることにより立体的な形状を実現することができる。タックは袖付け位置（７）を基点として約３ｃｍ（背中の丸みにより個人差あり）下げたところに約２．５センチの幅（背中の丸みにより個人差あり）で第一のタック（５）第一のタック（５）より約５ｃｍ下げたところに約２．５ｃｍの幅で第二のタック（６）を設ける。
【選択図】  図１【図１】
0003632704.tif 000002
【図２】
0003632704.tif 000003
【図３】
0003632704.tif 000004
【図４】
0003632704.tif 000005